(57)【特許請求の範囲】
【請求項１】
開口を有する本体と、
前記本体の内部に収納され、前記開口に対して直線方向及び回動動方向にそれぞれ移動可能に支持された支持部材と、
前記支持部材に回転可能に設けられ且つ複数の光学素子がセットされるターレットと、
前記本体と前記支持部材のうちの一方に設けられた軸部材と、他方に設けられ前記軸部材に対して直線移動可能に設置される切欠部とを有し、前記軸部材を中心として前記支持部材を回動する回動中心手段と、
前記回動中心手段と前記ターレット上の芯出し調整される前記光学素子のほぼ中心とを結ぶ直線上に沿うとともに前記本体の外部に延出して配置され且つ前記支持部材に連結される移動部材と、
前記本体の外部に延出して前記本体に連設され、前記移動部材を介して前記支持部材及び前記ターレットを直線方向及び回動方向の駆動力を作用させる調芯操作部とを具備したことを特徴とする調芯装置。
【請求項２】
前記調芯操作部は、芯調部本体、前記芯調部本体に保持され前記直線方向に沿って配置される２個の摘み、これら摘みに設けられる２個の操作軸、これら操作軸先端に設けられた２個の偏心カムを備え、
前記移動部材は、２個の前記偏心カムの各々の回転に連動して移動し、互いに直交する方向に長孔を形成した２個の透孔を備え、
２個の前記摘みのうち一方の摘み操作により前記偏心カム、前記透孔及び前記移動部材を介して前記支持部材を直線方向に移動させる駆動力を、他方の摘み操作により前記偏心カム、前記透孔及び前記移動部材を介して前記支持部材を前記回動方向に移動させる駆動力を作用させることを特徴とする請求項１記載の調芯装置。
【請求項３】
開口を有する本体と、
前記本体の内部に収納され、前記開口に対して直線方向及び回動方向にそれぞれ移動可能に支持された支持部材と、
前記支持部材に回転可能に設けられ且つ複数の光学素子がセットされるターレットと、
前記本体と前記支持部材のうちの一方に設けられた軸部材と、他方に設けられ前記軸部材に対して直線移動可能に設置される切欠部とを有し、前記軸部材を中心として前記支持部材を回動する回動中心手段と、
前記支持部材に連結される移動部材と、
前記本体に設けられ前記移動部材を介して前記支持部材及びターレットに対して直線方向の駆動力を作用させる第１の摘みと、前記回動方向の駆動力を作用させる第２の摘みとを有する調芯操作部とを備え、
前記光学素子のほぼ中心、前記回動中心手段、前記第１の摘み及び前記第２の摘みとをほぼ直線上に沿って配置するとともに、前記第１の摘み及び前記第２の摘みとは前記光学素子に対して同一の方向に配置されたことを特徴とする調芯装置。
【請求項４】
前記調芯操作部は、芯調部本体、前記芯調部本体に保持され前記第１，２の摘みに接続される２個の操作軸、前記操作軸先端に設けられた２個の偏心カムを備え、
前記移動部材は、２個の前記偏心カムの各々の回転に連動して移動し、互いに直交する方向に長孔を形成した２個の透孔を備え、
２個の前記摘みのうち一方の摘み操作により前記偏心カム、前記透孔及び前記移動部材を介して前記支持部材を直線方向に移動させる駆動力を、他方の摘み操作により前記偏心カム、前記透孔及び前記移動部材を介して前記支持部材を回動方向に移動させる駆動力を作用させることを特徴とする請求項３記載の調芯装置。
【請求項５】
前記ターレットは、前記調芯操作部の近傍に回転操作部を形成したことを特徴とする請求項１乃至４のいずれかに記載の調芯装置。
【発明の詳細な説明】
【０００１】
【産業上の利用分野】
本発明は、位相差顕微鏡用ターレットコンデンサのリングスリットの芯合せなどに用いられる調芯装置に関するものである。
【０００２】
【従来の技術】
従来、位相差顕微鏡に用いられるターレットコンデンサでは、そのリングスリットを倍率を異にする対物レンズの位相板ごとに芯合せする必要があり、このための調芯装置が設けられている。
【０００３】
しかして、従来、この種の調芯装置として、実公昭５８−４２９６３号公報に開示されるように、ターレット円板の周縁に沿って大きな間隔おいて２個のダイアルを配置し、これらのダイアルをそれぞれ操作することにより、ターレット円板をＸ−Ｘ´、Ｙ−Ｙ´方向に移動してリングスリットの芯合せを行うようにしたものがある。
【０００４】
また、リングスリットを直接移動させて芯出し調整を行うものとして、例えば、特開平３−１５７６０９号公報に開示されるように２本のネジを六角ドライバを２本同時に使用して調整するものもある。
【０００５】
【発明が解決しようとする課題】
ところで、このようなターレットコンデンサのリングスリットの芯合せは、顕微鏡観察中にターレット回転時のショックなどにより芯ずれを起こしたような場合や、シャレーの底から僅か上方に位置するものを観察したいような場合は、リングスリットの芯合せを再調整する必要が生じることがある。
【０００６】
ところが、ターレット円板の周縁に沿って大きな間隔おいて２個のダイアルを配置したものでは、それぞれの調整ダイアルが大きく離れているため、片手で操作しようとすると、操作する手の移動量が大きくなって、操作性が悪く、かかる芯合せ作業に時間がかかるようになり面倒である。
【０００７】
また、２本のネジを六角ドライバを２本同時に使用して調整するものでは、片手での操作が難しいため操作性が悪く、かかる芯合せ作業にも時間がかかり面倒である。また、ターレットコンデンサが保温箱内に設けられていて、六角ドライバを２本同時に使用して調整するときは、非常に調整作業がしずらく面倒であった。
【０００８】
本発明は、上記事情に鑑みてなされたもので、調芯作業を片手で行うことができる、操作性がよく、作業時間の短縮を可能にした調芯装置を提供することを目的とする。
【０００９】
【課題を解決するための手段】
請求項１記載の発明は、開口を有する本体と、前記本体の内部に収納され、前記開口に対して直線方向及び回動動方向にそれぞれ移動可能に支持された支持部材と、前記支持部材に回転可能に設けられ且つ複数の光学素子がセットされるターレットと、前記本体と前記支持部材のうちの一方に設けられた軸部材と、他方に設けられ前記軸部材に対して直線移動可能に設置される切欠部とを有し、前記軸部材を中心として前記支持部材を回動する回動中心手段と、前記回動中心手段と前記ターレット上の芯出し調整される前記光学素子のほぼ中心とを結ぶ直線上に沿うとともに前記本体の外部に延出して配置され且つ前記支持部材に連結される移動部材と、前記本体の外部に延出して前記本体に連設され、前記移動部材を介して前記支持部材及び前記ターレットを直線方向及び回動方向の駆動力を作用させる調芯操作部とにより構成されている。
【００１０】
請求項２の発明は、前記調芯操作部は、芯調部本体、前記芯調部本体に保持され前記直線方向に沿って配置される２個の摘み、これら摘みに設けられる２個の操作軸、これら操作軸先端に設けられた２個の偏心カムを備え、前記移動部材は、２個の前記偏心カムの各々の回転に連動して移動し、互いに直交する方向に長孔を形成した２個の透孔を備え、２個の前記摘みのうち一方の摘み操作により前記偏心カム、前記透孔及び前記移動部材を介して前記支持部材を直線方向に移動させる駆動力を、他方の摘み操作により前記偏心カム、前記透孔及び前記移動部材を介して前記支持部材を前記回動方向に移動させる駆動力を作用させるように構成されている。
請求項３の発明は、開口を有する本体と、前記本体の内部に収納され、前記開口に対して直線方向及び回動方向にそれぞれ移動可能に支持された支持部材と、前記支持部材に回転可能に設けられ且つ複数の光学素子がセットされるターレットと、前記本体と前記支持部材のうちの一方に設けられた軸部材と、他方に設けられ前記軸部材に対して直線移動可能に設置される切欠部とを有し、前記軸部材を中心として前記支持部材を回動する回動中心手段と、前記支持部材に連結される移動部材と、前記本体に設けられ前記移動部材を介して前記支持部材及びターレットに対して直線方向の駆動力を作用させる第１の摘みと、前記回動方向の駆動力を作用させる第２の摘みとを有する調芯操作部とを備え、前記光学素子のほぼ中心、前記回動中心手段、前記第１の摘み及び前記第２の摘みとをほぼ直線上に沿って配置するとともに、前記第１の摘み及び前記第２の摘みとは前記光学素子に対して同一の方向に配置されるように構成されている。
請求項４の発明は、前記調芯操作部は、芯調部本体、前記芯調部本体に保持され前記第１，２の摘みに接続される２個の操作軸、前記操作軸先端に設けられた２個の偏心カムを備え、前記移動部材は、２個の前記偏心カムの各々の回転に連動して移動し、互いに直交する方向に長孔を形成した２個の透孔を備え、２個の前記摘みのうち一方の摘み操作により前記偏心カム、前記透孔及び前記移動部材を介して前記支持部材を直線方向に移動させる駆動力を、他方の摘み操作により前記偏心カム、前記透孔及び前記移動部材を介して前記支持部材を回動方向に移動させる駆動力を作用させることを特徴としている。
請求項５の発明は、前記ターレットは、前記調芯操作部の近傍に回転操作部を形成するように構成されている。
【００１１】
【作用】
この結果、請求項１または３記載の発明によれば、直線方向および回動方向にそれぞれ移動可能に支持された支持部材に回転可能に複数の光学素子がセットされるターレットを設け、また、前記支持部材の回動中心とターレット上の芯出し調整される光学素子のほぼ中心を結ぶ直線上に沿って支持部材に連結される移動部材を配置し、この移動部材を介して調芯操作部により支持部材に対し直線方向および回動方向の駆動力を作用させるようにしている。これにより、位相差検鏡での光学素子の芯出し調整は、集中的に配置された調芯操作部を操作することで実現できるので、調芯操作部を片手で操作する際も操作する手の移動量を最小限にすることができる。
【００１２】
また、請求項２記載の発明によれば、調芯操作部の近傍にターレットの回転操作部を形成したので、ターレットの回転による光学素子の切り替えから、この光学素子の芯出しまでの操作が少ない手の移動のみで行うことができる。
【００１３】
【実施例】
以下、本発明の実施例を図面に従い説明する。
（第１実施例）
図１は、第１実施例の概略構成を示している。図において、１はターレットコンデンサ本体で、このターレットコンデンサ本体１は、有底筒状をなしている。このターレットコンデンサ本体１の底面に芯出しベース４を収容し、この芯出しベース４に軸２を介して円板状のターレット３を回転自在に支持している。
【００１４】
この場合、芯出しベース４は、ターレットコンデンサ本体１の底面に沿って移動可能になっていて、図３に示すように、ターレットコンデンサ本体１底面に突出されたピン１１に、その周縁の一部に形成した細長い切欠き部４１を係合していて、この切欠き部４１に沿ってＸ−Ｘ´方向の直線移動を可能にするとともに、ピン１１を中心としたＹ−Ｙ´方向の回動を可能にしている。
【００１５】
また、ターレット３は、周縁部に沿って複数の透孔３ａを形成し、これら透孔３ａに光学素子としてリングスリット５をセットしている。この場合、ターレット３には、図２に示すように各透孔３ａにセットされたリングスリット５を単独で芯合せするための板バネ６および芯出しネジ７を設けている。また、ターレット３と芯出しベース４の間に、鋼球８を介在させて、芯出しベース４に対するターレット３の回転方向の位置決めを可能にしている。
【００１６】
ターレットコンデンサ本体１は、底面の中心より偏心した位置で、図３に示すように芯出しベース４の切欠き部４１を係合する該芯出しベース４の回動中心となるピン１１と、後述する摘み２１、２２の中心を結ぶ直線ａ上に、その中心がほぼ位置するように透孔１ａを形成している。この透孔１ａ上には、ターレット３上の芯出し調整されるリングスリット５が位置され、このリングスリット５のほぼ中心も直線ａ上に位置されるようになる。
【００１７】
また、この透孔１ａに連通させてレンズ９を設けたレンズ筒１０を設けている。この場合、透孔１ａに対応する芯出しベース４上の位置にも、透孔４ａを形成している。
【００１８】
そして、ターレットコンデンサ本体１の上方開口部には、蓋部１２を設けている。この蓋部１２には、ターレットコンデンサ本体１底面の透孔１ａに対応してガラス１３を嵌込んだ窓部１４を設け、この窓部１４の内側に絞りレバー１５により開度を調整される絞り羽根１６を設けている。また、蓋部１２は、ターレット３上のリングスリット５の着脱を行うための孔部１２ａを有し、この孔部１２ａを蓋１７により塞いでいる。
【００１９】
なお、１８は、蓋部１２側よりねじ込まれ、ターレット３を鋼球８を介して芯出しベース４側に押し付け、ターレット３の浮き上がりを阻止する押えネジである。
【００２０】
一方、ターレットコンデンサ本体１には、図４に示すように芯調部本体１９を一体に設けている。この芯調部本体１９には、２個の摘み２１、２２を一列に近接して配置している。これら摘み２１、２２は、図３に示すように芯出しベース４の切欠き部４１を係合する該芯出しベース４の回動中心となるピン１１と、ターレットコンデンサ本体１の透孔１ａのほぼ中心を通る直線ａ上に沿ってそれぞれ配置されている。
【００２１】
これら摘み２１、２２は、それぞれの操作軸２１ａ、２２ａを芯調部本体１９を貫通して設け、これら操作軸２１ａ、２２ａ先端に偏心カム２３、２４を設けている。
【００２２】
そして、これら偏心カム２３、２４を移動板２５の透孔２５ａ、２５ｂに挿入している。この場合、偏心カム２３が挿入される透孔２５ａは、直線ａに直交する方向に沿った長孔からなり、偏心カム２４が挿入される透孔２５ｂは、直線ａに沿った長孔からなっていて、摘み２１を回すと、移動板２５を直線ａに沿った方向に移動させ、摘み２２を回すと、移動板２５を直線ａと直交する方向に移動させるようにしている。
【００２３】
この移動板２５も、図３に示すようにピン１１と透孔１ａのほぼ中心を通る直線ａの延長線上に配置されるもので、その先端をターレットコンデンサ本体１の孔部１ｂを介して芯出しベース４底面に連結固定している。これにより、摘み２１の回転操作により偏心カム２３を介し移動板２５を直線ａに沿った方向に移動させることで、芯出しベース４を切欠き部４１に沿ったＸ−Ｘ´方向に移動させ、摘み２２の回転操作により偏心カム２４を介して移動板２５を直線ａに直交する方向に移動させることで、芯出しベース４をピン１１を中心としたＹ−Ｙ´方向に回動させるようにしている。
【００２４】
なお、ターレットコンデンサ本体１に収容されたターレット３は、図４に示すように芯調部本体１９の近傍で、ターレットコンデンサ本体１より外部に一部露出して回転操作部３ｂに形成しており、この回転操作部３ｂを指先で送ることでターレット３自身を回転させることができる。
【００２５】
しかして、このような構成によると、位相差顕微鏡のターレットコンデンサのリングスリットを対物レンズの位相板に芯合せするには、まず、ターレット３のターレットコンデンサ本体１からの露出部分の回転操作部３ｂを指先で送り、窓部１４から確認しながら、所定のリングスリット５を透孔１ａ上に位置させる。この場合、ターレット３は、鋼球８の介在により芯出しベース４に対する回転方向の位置決めが適確になされる。
【００２６】
この状態から、まず、摘み２１を回すと、操作軸２１ａを介して偏心カム２３が回転する。すると、この偏心カム２３により直線ａに直交する方向に沿った長孔からなる透孔２５ａの直線ａと直交する側の縁部が押圧され、移動板２５は、直線ａに沿った方向に移動されるようになり、芯出しベース４は、切欠き部４１に沿ったＸ−Ｘ´方向に移動される。
【００２７】
次に、摘み２１に近接して配置された摘み２２を回すと、操作軸２２ａを介して偏心カム２４が回転する。すると、この偏心カム２４により直線ａ方向に沿った長孔からなる透孔２５ｂの直線ａと平行な側縁部が押圧され、移動板２５は、直線ａに直交する方向に移動されるようになり、芯出しベース４は、ピン１１を中心としたＹ−Ｙ´方向に回動される。
【００２８】
これにより、これら摘み２１、２２を適当に回転させながら、移動板２５を直線ａに沿った方向または直交する方向に移動させて、芯出しベース４を、切欠き部４１に沿ったＸ−Ｘ´方向またはピン１１を中心としたＹ−Ｙ´方向に移動させることにより、リングスリット５を図示しない対物レンズの位相板に芯合せすることができるようになる。
【００２９】
従って、このような第１実施例によれば、ピン１１により直線方向および回動方向にそれぞれ移動可能に支持された芯出しベース４に、回転可能にリングスリット５がセットされるターレット３を設け、また、芯出しベース４の回動中心となるピン１１とターレットコンデンサ本体１の透孔１ａのほぼ中心を結ぶ直線ａ上に沿って芯出しベース４に連結される移動板２５を配置し、この移動板２５に対して直線ａの延長線上に操作軸２１ａ、２２ａ先端に偏心カム２３、２４を設けた２個の摘み２１、２２を近接して配置し、このうちの摘み２１の操作により偏心カム２３を介して移動板２５に芯出しベース４をＸ−Ｘ´方向に移動させる駆動力を、摘み２２の操作により偏心カム２４を介して移動板２５に芯出しベース４をＹ−Ｙ´方向に移動させる駆動力をそれぞれ作用させるようにしている。これにより、位相差検鏡でのリングスリット５の芯出し調整は、一か所に集中的に配置された摘み２１、２２を操作することで実現できるので、従来のターレット円板の周縁に沿って大きな間隔おいて２個のダイアルを配置するため、それぞれの調整ダイアルが大きく離れてしまい、片手操作しようとすると、操作する手の移動量が大きくなるものと比べ、２個の摘み２１、２２を片手で操作する際も操作する手の移動量を最小限にすることができ、操作性が改善され、かかる芯合せの作業時間を大幅に短縮することができる。このことは、ターレットコンデンサが保温箱内に設けられている場合でも、片手のみで必要以上に手を動かさなくても芯出し作業ができる。
【００３０】
また、摘み２１、２２を有する調芯操作部の近傍にターレット３の回転操作部３ｂを設けているので、ターレット３の回転によるリングスリット５の切り替えからリングスリット５の芯出しまでの操作が少ない手の移動のみで行うこともでき、検鏡による観察者の疲労を軽減することができる。
【００３１】
さらに、観察者に対して、芯出しベース４により移動するリングスリット５の動きがＸ−Ｘ´方向とＹ−Ｙ´方向のように自然であるため芯合せ作業上の違和感が全くなく、このことも検鏡による疲労を軽減する効果として大である。
（第２実施例）
図５は、第２実施例の概略構成を示すもので、図１と同一部分には、同符号を付している。
【００３２】
この場合、第１実施例の摘み２１、２２のそれぞれの操作軸２１ａ、２２ａの先端に設けられた偏心カム２３、２４に代えて、ベアリング部３１、３２を設け、これらベアリング部３１、３２を移動板２５の透孔２５ａ、２５ｂに挿入するようにしている。
【００３３】
従って、このような第２実施例によれば、さらに、ベアリング部３１、３２と移動板２５の透孔２５ａ、２５ｂとの間の摺動抵抗を小さくできるので、摘み２１、２２を回したときの移動板２５の移動をスムーズにでき、芯出しベース４のＸ−Ｘ´方向またはＹ−Ｙ´方向の移動もスムーズにでき、芯合せの際の操作性を良好にできる。
（第３実施例）
図６は、第３実施例の概略構成を示すもので、図１と同一部分には、同符号を付している。
【００３４】
この場合、芯調部本体１９には、第１実施例の摘み２１、２２に代えてジョイステッテク３３を設けている。このジョイステッテク３３は、球状のジョイステッテク本体３３ａを芯調部本体１９に設けるとともに、球状の先端部３４を移動板２５の透孔２５ｃに移動自在に挿入している。
【００３５】
しかして、ジョイステッテク３３を操作すると、球状の先端部３４より移動板２５に対し透孔２５ｃを介して図３で述べた直線ａに沿った方向または直交する方向の移動が伝えられるようになり、芯出しベース４を切欠き部４１に沿ったＸ−Ｘ´方向またはピン１１を中心としたＹ−Ｙ´方向に移動させ、リングスリット５を図示しない対物レンズの位相板に芯合せすることができる。
【００３６】
従って、このような第３実施例によれば、さらにジョイステッテク３３の操作のみにより芯出しベース４のＸ−Ｘ´方向またはＹ−Ｙ´方向の移動を得られるので、操作性をさらに良好にすることができる。
（第４実施例）
図７（ａ）（ｂ）は、第４実施例の概略構成を示すもので、図５と同一部分には、同符号を付している。
【００３７】
この場合、芯調部本体１９内に摘み２１、２２の操作軸２１ａ、２２ａに接離可能に弾性部材３７を配置し、この弾性部材３７を摘み３６を有するネジ３５のねじ込み量により操作軸２１ａ、２２ａに圧接させることで、これら操作軸２１ａ、２２ａの回転を阻止できるようにしている。
【００３８】
しかして、上述したようにして摘み２１、２２を回しながら移動板２５を介して芯出しベース４のＸ−Ｘ´方向またはＹ−Ｙ´方向の移動させてリングスリット５を対物レンズの位相板に芯合せし、この状態から、摘み３６を回しネジ３５のねじ込みにより弾性部材３７を操作軸２１ａ、２２ａに当接させることにより、操作軸２１ａ、２２ａの回転を阻止することができる。
【００３９】
従って、このような第４実施例によれば、さらに顕微鏡観察中のターレット３の回転時のショックや摘み２１、２２に手が触れた時などにも、リングスリット５の芯合せ状態が容易にずれるようなことを防止できる。
（第５実施例）
図８は、第５実施例の概略構成を示すもので、図１と同一部分には、同符号を付している。
【００４０】
この場合、芯調部本体１９の摘み２１、２２にそれぞれＸ、Ｙの指標３８、３９を付けるようにしている。
このようにすれば、指標３８、３９により摘み２１、２２の回転量から芯調に要した操作量を知ることができ、また、指標３８、３９を目安にしてターレット３の中心位置を基準位置として設定することもできる。
【００４１】
以上、実施例に基づいて説明したが、本発明中には以下の発明が含まれる。
（１）直線方向および回動方向にそれぞれ移動可能に支持された支持部材と、この支持部材に回転可能に設けられ且つ複数の光学素子がセットされるターレットと、前記支持部材の回動中心と前記ターレット上の芯出し調整される光学素子のほぼ中心を結ぶ直線上に沿って配置され且つ前記支持部材に連結される移動部材と、この移動部材に設けられ該移動部材を介して前記支持部材に対し直線方向および回動方向の駆動力を作用させる調芯操作部とを具備したことを特徴とする調芯装置。
【００４２】
このようにすれば、位相差検鏡での光学素子の芯出し調整は、集中的に配置された調芯操作部を操作することで実現できるので、調芯操作部を片手で操作する際も操作する手の移動量を最小限にすることができ、操作性が改善され、かかる芯合せの作業時間を大幅に短縮することができる。
【００４３】
（２）（１）記載の調芯装置において、ターレットは、前記調芯操作部の近傍に回転操作部を形成している。
このようにすれば、ターレットの回転による光学素子の切り替えから、この光学素子の芯出しまでの操作が少ない手の移動のみで行うことができ、操作性をさらに良好にできる。
【００４４】
（３）（１）記載の調芯装置において、調芯操作部は、前記直線方向に沿って配置される２個の摘み、これら摘みに設けられる操作軸、これら操作軸先端に設けられた偏心カムを有し、前記２個の摘みのうち一方の摘み操作により前記偏心カムを介して前記移動部材に前記支持部材を直線方向に移動させる駆動力、他方の摘み操作により前記偏心カムを介して前記移動部材に前記支持部材を回動方向に移動させる駆動力を作用させるようにしている。
【００４５】
このようにしても、（１）と同様な効果が期待できる。
（４）（１）記載の調芯装置において、調芯操作部は、ジョイステッテクからなっている。
【００４６】
このようにすれば、支持部材の移動をさらにスムーズにでき、芯合せの際の操作性を良好にできる。
（５）（３）記載の調芯装置において、調芯操作部は、２個の摘みの操作軸先端にそれぞれベアリング部を有し、一方の摘み操作によりベアリング部を介して前記移動部材に前記支持部材を直線方向に移動させる駆動力、他方の摘み操作により前記ベアリング部を介して前記移動部材に前記支持部材を回動方向に移動させる駆動力を作用させるようにしている。
【００４７】
このようにすれば、ベアリング部と移動部材との間の摺動抵抗を小さくできるので、摘みを回したときの移動部材の移動をスムーズにでき、支持部材ののＸ−Ｘ´方向またはＹ−Ｙ´方向の移動もスムーズにでき、芯合せの際の操作性をさらに良好にできる。
【００４８】
（６）（３）記載の調芯装置において、調芯操作部は、２個の摘みの操作軸に接離可能な弾性部材を有し、この弾性部材を前記操作軸に圧接させることで、操作軸の回転を阻止するようにしている。
【００４９】
このようにすれば、顕微鏡観察中のターレットの回転時のショックや摘みに手が触れた時などにも、リングスリットの芯合せ状態が容易にずれるようなことを防止できる。
【００５０】
【発明の効果】
以上述べたように、本発明によれば、位相差検鏡での光学素子の芯出し調整は、集中的に配置された調芯操作部を操作することで実現できるので、調芯操作部を片手で操作する際も操作する手の移動量を最小限にすることができ、操作性が改善され、かかる芯合せの作業時間を大幅に短縮することができる。
【００５１】
また、ターレットの回転による光学素子の切り替えから、この光学素子の芯出しまでの操作が少ない手の移動のみで行うことができ、操作性をさらに良好なものにできる。
【図面の簡単な説明】
【図１】本発明の第１実施例の概略構成を示す側断面図。
【図２】第１実施例のリングスリットを単独で芯合せする部分を示す図。
【図３】第１実施例の概略構成を示す裏面図。
【図４】第１実施例の概略構成を示す正面図。
【図５】本発明の第２実施例の概略構成を示す側断面図。
【図６】本発明の第３実施例の概略構成を示す側断面図。
【図７】本発明の第４実施例の要部の概略構成を示す図。
【図８】本発明の第５実施例の要部の概略構成を示す図。
【符号の説明】
１…ターレットコンデンサ本体、１ａ、１ｂ…透孔、２…軸、３…ターレット、３ｂ…回転操作部、４…芯出しベース、４ａ…透孔、５…リングスリット、６…板バネ、７…芯出しネジ、８…鋼球、９…レンズ、１０…レンズ筒、１１…ピン、１２…蓋部、１３…ガラス、１４…窓部、１５…絞りレバー、１６…絞り羽根、１７…蓋、１８…押えネジ、１９…芯調部本体、２１、２２…摘み、２１ａ、２２ａ…操作軸、２３、２４…偏心カム、２５…移動板、２５ａ、２５ｂ…透孔、３１、３２…ベアリング部、３３…ジョイステッテク、３４…球状先端部、３５…ネジ、３６…摘み、３７…弾性部材、３８、３９…指標。
【図１】
0003614916.tif 000002
【図２】
0003614916.tif 000003
【図３】
0003614916.tif 000004
【図４】
0003614916.tif 000005
【図５】
0003614916.tif 000006
【図６】
0003614916.tif 000007
【図７】
0003614916.tif 000008
【図８】
0003614916.tif 000009